(57)【要約】【課題】アミン類とハロゲン化アリール化合物との反応に特に有効で、かつ、反応終了後の漏出が殆ど無く、回収・再使用が容易な高分子固定化パラジウム触媒を提供することである。【解決手段】パラジウムが架橋高分子に担持されてなる高分子固定化パラジウム触媒であって、  前記架橋高分子は、    側鎖に、      疎水性基と、      親水性基と、      −ＰＲ１２基（但し、Ｒ１は、アルキル基、アリール基およびアラルキル基の群の中から選ばれる何れかの基であり、各々、同じであっても異なっていても良い。）とを有し、    前記−ＰＲ１２基のＰと前記架橋高分子の主鎖との間に、ビフェニル構造およびビナフチル構造の群の中から選ばれる少なくとも一つを有する。【特許請求の範囲】
【請求項１】
パラジウムが架橋高分子に担持されてなる高分子固定化パラジウム触媒であって、
前記架橋高分子は、
側鎖に、
疎水性基と、
親水性基と、
−ＰＲ１２基（但し、Ｒ１は、アルキル基、アリール基およびアラルキル基の群の中から選ばれる何れかの基であり、各々、同じであっても異なっていても良い。）とを有し、
前記−ＰＲ１２基のＰと前記架橋高分子の主鎖との間に、ビフェニル構造およびビナフチル構造の群の中から選ばれる少なくとも一つを有する
ことを特徴とする高分子固定化パラジウム触媒。
【請求項２】
パラジウムが架橋高分子に担持されてなる高分子固定化パラジウム触媒であって、
前記架橋高分子は架橋性高分子が架橋されてなり、
前記架橋性高分子は、
側鎖に、
架橋性基と、
疎水性基と、
親水性基と、
−ＰＲ１２基（但し、Ｒ１は、アルキル基、アリール基およびアラルキル基の群の中から選ばれる何れかの基であり、各々、同じであっても異なっていても良い。）とを有し、
前記−ＰＲ１２基のＰと前記架橋性高分子の主鎖との間に、ビフェニル構造およびビナフチル構造の群の中から選ばれる少なくとも一つを有する
ことを特徴とする高分子固定化パラジウム触媒。
【請求項３】
−ＰＲ１２基を有する側鎖が下記の式［１］で表される基である
ことを特徴とする請求項１又は請求項２の高分子固定化パラジウム触媒。
式［１］
2008221089.tif 000007
（但し、Ｒ１は、アルキル基、アリール基およびアラルキル基の群の中から選ばれる何れかの基であり、各々、同じであっても異なっていても良い。Ｒ２及びＲ3は、水素原子、アルキル基、アリール基およびアラルキル基の群の中から選ばれる何れかの基であり、各々、同じであっても異なっていても良い。）
【請求項４】
Ｒ１がシクロアルキル基である
ことを特徴とする請求項１〜請求項３いずれかの高分子固定化パラジウム触媒。
【請求項５】
疎水性基が芳香族基である
ことを特徴とする請求項１〜請求項４いずれかの高分子固定化パラジウム触媒。
【請求項６】
アミン類とハロゲン化アリール化合物との反応に用いられるものである
ことを特徴とする請求項１〜請求項５いずれかの高分子固定化パラジウム触媒。
【請求項７】
請求項１〜請求項６いずれかの高分子固定化パラジウム触媒の存在下で、  アミン類とハロゲン化アリール化合物とを反応させる
ことを特徴とする反応方法。
【請求項８】
請求項１〜請求項６いずれかの高分子固定化パラジウム触媒の製造方法であって、
架橋性基、疎水性基、親水性基、及び−ＰＲ１２基（但し、Ｒ１は、アルキル基、アリール基およびアラルキル基の群の中から選ばれる何れかの基であり、各々、同じであっても異なっていても良い。）を側鎖に有し、前記−ＰＲ１２基のＰと架橋性高分子の主鎖との間にビフェニル構造およびビナフチル構造の群の中から選ばれる少なくとも一つを有する架橋性高分子と、パラジウム化合物とを含む溶液に相分離を生じさせる相分離工程と、
前記相分離工程での相分離によりパラジウムが担持された架橋性高分子に架橋反応を行なわせる架橋反応工程
とを具備することを特徴とする高分子固定化パラジウム触媒の製造方法。
【請求項９】
相分離工程は、相分離を生じさせて架橋性高分子にパラジウム微粒子が担持したミセルを形成する相分離工程である
ことを特徴とする請求項８の高分子固定化パラジウム触媒の製造方法。
【請求項１０】
相分離工程は、架橋性高分子とは極性が異なる溶媒を添加することにより相分離を生じさせる相分離工程である
ことを特徴とする請求項８又は請求項９の高分子固定化パラジウム触媒の製造方法。
【請求項１１】
パラジウム化合物がＰｄと配位子との錯体である
ことを特徴とする請求項８の高分子固定化パラジウム触媒の製造方法。
【発明の詳細な説明】
【技術分野】
【０００１】
本発明は高分子固定化パラジウム触媒に関する。特に、アミン類とハロゲン化アリール化合物との反応に用いられる高分子固定化パラジウム触媒に関する。中でも、アミン類とハロゲン化アリール化合物とのカップリング反応（アミノ化反応）に用いられる高分子固定化パラジウム触媒に関する。更には、回収・再使用が可能な高分子固定化パラジウム触媒に関する。
【背景技術】
【０００２】
高分子固定化触媒を用いる反応は、触媒と生成物との分離が容易であり、触媒の回収・再使用が可能になる為、経済性、資源の有効利用、環境保全の観点から着目されている。
【０００３】
しかしながら、一般的に、均一系で使用する触媒を不溶性の担体に固定した場合、触媒活性や反応の選択性が低下する場合が多い。かつ、固定した触媒が反応時や後処理時に担体から漏出する問題も生ずる。
【０００４】
従って、高活性、高選択性、安定性に富み、使用時に触媒の漏出が起こらない触媒の担体への固定化法が求められている。
【０００５】
ところで、本発明者らは、パラジウム、スカンジウム、オスミウム、ルテニウムなどの金属を、物理的あるいは静電的相互作用を利用して芳香族系高分子上に固定化すると言う新規な金属の固定化法（マイクロカプセル化法）を提案（特許文献１，２、非特許文献１）している。この技術は、パラジウムにおいて、高分子鎖を架橋する等の改良により、より高機能を有する触媒の調製法に発展している。
【０００６】
すなわち、側鎖にエポキシ基及び水酸基を有する架橋性高分子にマイクロカプセル化法でパラジウムを固定した後、無溶媒条件下で加熱することで容易に架橋反応が進行し、通常の溶媒に不溶の「高分子固定化パラジウム触媒」が得られることが提案（特許文献３、非特許文献２，３，４）されている。この高分子固定化パラジウム触媒は、従来の高分子固定化パラジウム触媒に比べると、パラジウムクラスターのサイズが小さいことから、高活性であり、又、架橋していることから、耐溶剤性に優れ、しかもＰｄの漏出が無く、回収・再使用が容易である。そして、この触媒を水素化反応に用いると、アルキンは速やかにアルカンに還元される。
【０００７】
又、近年、パラジウム触媒を用いた様々な反応が開発されている。例えば、鈴木−宮浦カップリング反応、Heck反応、薗頭アセチレンカップリング反応や、Stilleクロスカップリング反応などの炭素−炭素結合形成反応や、アリル位置換反応、Buchwald−Hartwigクロスカップリング反応（アミノ化反応）等は、有機合成上、重要な反応となっている。尚、これらの反応の多くはホスフィン配位子を必要とする。
【０００８】
これらの反応に対しても様々な固定化パラジウム触媒が提案（非特許文献７）されているが、先に述べたような触媒の固定化による様々な問題により実用化されたものは少ない。
【０００９】
一方、本発明者らが開発したマイクロカプセル化法と芳香族性高分子の架橋反応とを用いて製造した高分子固定化パラジウム触媒は、パラジウムクラスターのサイズが小さい為、高活性であり、かつ、パラジウムの漏出も少なく、様々な反応に有効である。本固定化パラジウム触媒において、パラジウムは０価で、ホスフィンフリーの状態で固定されている為、これを用いる反応ではホスフィンの外部添加が有効である。
【００１０】
しかしながら、ホスフィンを外部添加した場合、反応終了後に生成物とホスフィン配位子とを分離する操作が必要となり、回収した触媒を再使用する際には、再度、ホスフィンの外部添加が必要となる（非特許文献４参照）。
【００１１】
ところで、ごく最近、本発明者らは、ホスフィン配位子の添加を必要としないで、種々のパラジウム触媒反応に有効で、使用後の回収と再使用が容易で、繰り返し使用しても活性低下が無く、更には反応中及び後処理中にパラジウムの漏出が無い高分子固定化パラジウム触媒を提案（特許文献３）している。更に、パラジウムを架橋高分子に担持させてなる高分子固定化パラジウム触媒であって、該架橋高分子が、芳香族側鎖、親水性側鎖、架橋性基、及び−ＰＲ１２（式中、Ｒ１は、それぞれ同じであっても異なってもよく、アルキル基、アリール基又はアラルキル基を表す。）で表されるリン含有基を有する架橋性高分子を架橋させてなることを特徴とする高分子固定化パラジウム触媒を提案（特許文献４、非特許文献８，９）している。そして、この高分子固定化パラジウム触媒は、Ｒ２−Ｃ≡Ｃ−Ｒ３（式中、Ｒ２及びＲ３は、各々、同じであっても異なってもよく、水素原子、又は置換基を有していてもよいアルキル基、アリール基若しくはアラルキル基を表す。）で表されるアルキンを水素化するＲ２−ＣＨ＝ＣＨ−Ｒ３で表されるアルケンの製法や、有機ホウ素化合物とハロゲン化アリール又はハロゲン化ビニルとをクロスカップリング反応（鈴木−宮浦カップリング）させるビアリール化合物、アルキルアリール化合物又は置換オレフィン類の製法において、極めて有効な触媒であることが謳われている。
【特許文献１】特開２００２−６６３３０
【特許文献２】特開２００２−２５３９７２
【特許文献３】ＷＯ２００４／０２４３２３
【特許文献４】特開２００６−２３１３１８
【特許文献５】ＷＯ２０００／０２８８７
【非特許文献１】Kobayashi, S.： Akiyama, R. Chem.Commun. 2003, 449.
【非特許文献２】Akiyama, R., Kobayashi, S. J. Am.Chem. Soc. 2003, 125, 3412.
【非特許文献３】K.Okamoto et al. J.Org.Chem. 69,2871(2004).
【非特許文献４】K.Okamoto et al. Org.Lett. 6,1987(2004)．
【非特許文献５】Suzuki, T. et al. TetrahedronLett. 42, 65(2001).
【非特許文献６】J. Org. Chem. 54, 2998(1989).
【非特許文献７】Uozumi, Y. Topics in CurrentChemistry, 242, 77-112 (2004).
【非特許文献８】Nishio, R.：Sugiura, M.：Kobayashi, S. Org. Biomol. Chem., 4, 992(2006).
【非特許文献９】Nishio, R.：Sugiura, M.：Kobayashi, S. Org. Lett., 7, 4831(2005).
【非特許文献１０】Buchwald, S. L. et al, J. Am.Chem. Soc., 121, 4369(1999).
【非特許文献１１】Buchwald, S. L. et al, J. Am.Chem. Soc., 121, 9550(1999).
【非特許文献１２】Buchwald, S. L. et al, J. Org.Chem., 65, 1158(2000).
【非特許文献１３】Fu, G. C. et al, Angew. Chem.Int. Ed., 38, 2411(1999).
【発明の開示】
【発明が解決しようとする課題】
【００１２】
さて、上記した触媒は、反応終了後の漏出が殆ど無く、回収・再使用が容易であり、触媒活性は対応する溶液で調製したパラジウム−ホスフィン配位子の組み合わせとほぼ同等であるものの、溶液で調製したパラジウム触媒で反応の進行が困難な原料のハロゲン化アリールとしてアリールクロリド類を用いる種々のカップリング反応では反応が極端に遅くなったり、或いは反応が全く進行しないと言った致命的な問題が有った。
【００１３】
従って、本発明が解決しようとする課題は、アミン類とハロゲン化アリール化合物との反応に特に有効で、かつ、反応終了後の漏出が殆ど無く、回収・再使用が容易な高分子固定化パラジウム触媒を提供することである。
【課題を解決するための手段】
【００１４】
前記の課題は、パラジウムが架橋高分子に担持されてなる高分子固定化パラジウム触媒であって、
前記架橋高分子は、
側鎖に、
疎水性基と、
親水性基と、
−ＰＲ１２基（但し、Ｒ１は、アルキル基、アリール基およびアラルキル基の群の中から選ばれる何れかの基であり、各々、同じであっても異なっていても良い。）とを有し、
前記−ＰＲ１２基のＰと前記架橋高分子の主鎖との間に、ビフェニル構造およびビナフチル構造の群の中から選ばれる少なくとも一つを有する
ことを特徴とする高分子固定化パラジウム触媒によって解決される。
【００１５】
又、パラジウムが架橋高分子に担持されてなる高分子固定化パラジウム触媒であって、
前記架橋高分子は架橋性高分子が架橋されてなり、
前記架橋性高分子は、
側鎖に、
架橋性基と、
疎水性基と、
親水性基と、
−ＰＲ１２基（但し、Ｒ１は、アルキル基、アリール基およびアラルキル基の群の中から選ばれる何れかの基であり、各々、同じであっても異なっていても良い。）とを有し、
前記−ＰＲ１２基のＰと前記架橋性高分子の主鎖との間に、ビフェニル構造およびビナフチル構造の群の中から選ばれる少なくとも一つを有する
ことを特徴とする高分子固定化パラジウム触媒によって解決される。
【００１６】
特に、上記の高分子固定化パラジウム触媒であって、
−ＰＲ１２基を有する側鎖が下記の式［１］で表される基である
ことを特徴とする高分子固定化パラジウム触媒によって解決される。
式［１］
2008221089.tif 000002
（但し、Ｒ１は、アルキル基、アリール基およびアラルキル基の群の中から選ばれる何れかの基であり、各々、同じであっても異なっていても良い。Ｒ２及びＲ3は、水素原子、アルキル基、アリール基およびアラルキル基の群の中から選ばれる何れかの基であり、各々、同じであっても異なっていても良い。）
【００１７】
中でも、上記の高分子固定化パラジウム触媒であって、
−ＰＲ１２基を有する側鎖が下記の式［１］で表される基である
ことを特徴とする高分子固定化パラジウム触媒によって解決される。
式［１］
2008221089.tif 000003
（但し、Ｒ１は、アルキル基、アリール基およびアラルキル基の群の中から選ばれる何れかの基であり、各々、同じであっても異なっていても良い。Ｒ２及びＲ3は、水素原子、アルキル基、アリール基およびアラルキル基の群の中から選ばれる何れかの基であり、各々、同じであっても異なっていても良い。）  
【００１８】
又、上記の高分子固定化パラジウム触媒であって、
疎水性基が芳香族基である
ことを特徴とする高分子固定化パラジウム触媒によって解決される。
【００１９】
本発明の触媒は、特に、アミン類とハロゲン化アリール化合物との反応に用いられる高分子固定化パラジウム触媒である。
【００２０】
又、前記の課題は、
上記の高分子固定化パラジウム触媒の存在下で、アミン類とハロゲン化アリール化合物とを反応させる
ことを特徴とする反応方法によって解決される。
【００２１】
又、前記の課題は、
上記の高分子固定化パラジウム触媒の製造方法であって、
架橋性基、疎水性基、親水性基、及び−ＰＲ１２基（但し、Ｒ１は、アルキル基、アリール基およびアラルキル基の群の中から選ばれる何れかの基であり、各々、同じであっても異なっていても良い。）を側鎖に有し、前記−ＰＲ１２基のＰと架橋性高分子の主鎖との間にビフェニル構造およびビナフチル構造の群の中から選ばれる少なくとも一つを有する架橋性高分子と、パラジウム化合物とを含む溶液に相分離を生じさせる相分離工程と、
前記相分離工程での相分離によりパラジウムが担持された架橋性高分子に架橋反応を行なわせる架橋反応工程
とを具備することを特徴とする高分子固定化パラジウム触媒の製造方法によって解決される。
【００２２】
又、上記の高分子固定化パラジウム触媒の製造方法であって、
相分離工程は、相分離を生じさせて架橋性高分子にパラジウム微粒子が担持したミセルを形成する相分離工程である
ことを特徴とする高分子固定化パラジウム触媒の製造方法によって解決される。
【００２３】
又、上記の高分子固定化パラジウム触媒の製造方法であって、
相分離工程は、架橋性高分子とは極性が異なる溶媒を添加することにより相分離を生じさせる相分離工程である
ことを特徴とする高分子固定化パラジウム触媒の製造方法によって解決される。
【００２４】
又、上記の高分子固定化パラジウム触媒の製造方法であって、
パラジウム化合物がＰｄと配位子との錯体である
ことを特徴とする高分子固定化パラジウム触媒の製造方法によって解決される。
【発明の効果】
【００２５】
アミン類とハロゲン化アリール化合物との反応性に優れている。かつ、反応終了後の漏出が殆ど無く、回収・再使用が容易である。そして、再使用した場合でも、触媒活性の低下が非常に小さい。
【発明を実施するための最良の形態】
【００２６】
本発明は、パラジウムが架橋高分子に担持されてなる高分子固定化パラジウム触媒である。特に、アミン類とハロゲン化アリール化合物との反応に際して用いられる高分子固定化パラジウム触媒である。前記架橋高分子は、側鎖に、疎水性基と親水性基と−ＰＲ１２基（但し、Ｒ１は、アルキル基、アリール基およびアラルキル基の群の中から選ばれる何れかの基であり、各々、同じであっても異なっていても良い。）とを有するものである。かつ、前記−ＰＲ１２基のＰと前記架橋高分子の主鎖との間に、ビフェニル構造およびビナフチル構造の群の中から選ばれる少なくとも一つを有するものである。例えば、側鎖に、架橋性基と疎水性基と親水性基と−ＰＲ１２基（但し、Ｒ１は、アルキル基、アリール基およびアラルキル基の群の中から選ばれる何れかの基であり、各々、同じであっても異なっていても良い。）とを有し、かつ、前記−ＰＲ１２基のＰと架橋性高分子の主鎖との間にビフェニル構造およびビナフチル構造の群の中から選ばれる少なくとも一つを有する架橋性高分子が架橋した架橋高分子である。−ＰＲ１２基を有する側鎖は、特に、上記の式［１］で表される基（但し、Ｒ１は、アルキル基、アリール基およびアラルキル基の群の中から選ばれる何れかの基であり、各々、同じであっても異なっていても良い。Ｒ２は、水素原子、アルキル基、アリール基およびアラルキル基の群の中から選ばれる何れかの基である。）である。中でも、Ｒ１がシクロアルキル基のものである。上記の架橋性高分子（架橋高分子）における疎水性基は、特に、芳香族基である。勿論、芳香族基のみでは無く、その他の疎水性の基を共に有するものであっても良い。
【００２７】
本発明の反応方法は、上記の高分子固定化パラジウム触媒の存在下で、アミン類とハロゲン化アリール化合物とを反応させる方法である。
【００２８】
本発明の高分子固定化パラジウム触媒の製造方法は、上記の高分子固定化パラジウム触媒の製造方法である。そして、架橋性基、疎水性基、親水性基、及び−ＰＲ１２基（但し、Ｒ１は、アルキル基、アリール基およびアラルキル基の群の中から選ばれる何れかの基であり、各々、同じであっても異なっていても良い。）を側鎖に有し、前記−ＰＲ１２基のＰと架橋性高分子の主鎖との間にビフェニル構造およびビナフチル構造の群の中から選ばれる少なくとも一つを有する架橋性高分子と、パラジウム化合物とを含む溶液に相分離を生じさせる相分離工程を有する。又、相分離工程での相分離によりパラジウムが担持された架橋性高分子に架橋反応を行なわせる架橋反応工程を有する。相分離工程は、特に、相分離を生じさせて架橋性高分子にパラジウム微粒子が担持したミセルを形成する相分離工程である。そして、相分離は、例えば架橋性高分子とは極性が異なる溶媒を添加することによって行なわれる。そして、パラジウム化合物は、好ましくは、Ｐｄと配位子との錯体である。
【００２９】
以下、更に詳しく説明する。
本発明の触媒は、従来、困難であったアリールクロリド類を原料としたカップリング反応、例えばアミン類とハロゲン化アリール化合物（例えば、反応性が高いアリールヨード化合物やアリールブロミド化合物のみならず、安価ではあるが、一般に、反応性が低い為、カップリング反応に用いることが出来なかったアリールクロリド化合物）との反応に特に有効である。又、有機ホウ素化合物とハロゲン化アリール又はハロゲン化ビニルとのクロスカップリング反応（鈴木−宮浦カップリング反応）によるビアリール化合物、アルキルアリール化合物又は置換オレフィンの合成に用いることも出来る。そして、パラジウム触媒を両親媒性の高活性型リン含有架橋性高分子中に固定することにより調製された高活性高分子固定化パラジウム触媒である。例えば、両親媒性の架橋ポリスチレン系高分子中にパラジウムを固定することにより調製された高分子固定化パラジウム触媒である。この高活性型高分子担持パラジウム触媒は、例えば良溶媒中に溶解した該架橋性高分子とパラジウム化合物の溶液に貧溶媒を加えて相分離を生じさせることにより、該架橋性高分子に該パラジウムの超微粒子を担持したミセルを形成し、この後で該架橋性高分子を架橋反応に付すことによって構成されたものであるものが好ましい。
【００３０】
本発明の高分子固定化パラジウム触媒は、パラジウムが架橋性高分子中の芳香環又はリン原子との相互作用により超微粒子として担持された形態を有する。このパラジウムは０価であることが好ましい。
【００３１】
パラジウムを上記高分子に担持させる方法としては、担持出来る方法で有れば特には限定されない。但し、例えば、先ず、上記の構造を有する架橋性高分子とパラジウム前駆体とを良溶媒に溶解しておき、貧溶媒を加えて析出させる。良溶媒が極性溶媒の場合は当該高分子内部に親水基が集まり易く、逆の場合は当該高分子外部に集まり易い。このように親水基部分と疎水基部分とが明確に分離した場合、当該高分子はミセルまたは逆ミセル構造を取っていると考えられる。一方、ミセルを形成しない場合もあり、その場合は親水基の分布はそれ程厳密ではない。尚、ミセルを形成させる為には、当該高分子の構造（疎水性基と親水性基との割合や位置）を適切なものにする。パラジウム超微粒子は、各々のミセル様凝集体および非ミセル様凝集体において、芳香族側鎖との相互作用、リン原子との相互作用、及び架橋分子の立体的な拘束により担持されている。
【００３２】
尚、極性の良溶媒としては、例えばＴＨＦ、ジオキサン、アセトン、ＤＭＦ、ＮＭＰ等が、非極性の良溶媒としては、例えばトルエン、シクロヘキサン、ジクロロメタン、クロロホルム等が用いられる。極性の貧溶媒としては、例えばメタノール、エタノール、ブタノール、アミルアルコール等のアルコールが、非極性の貧溶媒としては、例えばヘキサン、ヘプタン、オクタン等が用いられる。良溶媒に溶解した架橋性高分子の濃度は用いる溶媒によっても異なるが、極性溶媒中で約０．１〜１００ｍｇ／ｍＬが好ましい。
【００３３】
上記パラジウム前駆体（パラジウム化合物）は、パラジウムを含む適当な化合物（例えば、酸化物、ハロゲン化物、配位子との錯体など）である。好ましくは、パラジウムと適当な配位子とからなる錯体（化合物）である。すなわち、配位子との錯体を用いた場合、前駆体中のパラジウムは上記した如きの構造を有する高分子が有する芳香環、或いは３価のリン原子との配位子交換により高分子に担持される。尚、パラジウム前駆体中のパラジウムが０価以外のものである場合には、ミセル形成時に還元処理を行うことにより担持されたパラジウムを０価とすることが出来、リン配位子が強力な還元剤である場合には、過剰なリン配位子自身を還元剤として用いることも出来る。このような配位子としては、例えばジメチルフェニルホスフィン（Ｐ（ＣＨ３）２Ｐｈ）、ジフェニルホスフィノフェロセン（ｄＰＰｆ）、トリメチルホスフィン（Ｐ（ＣＨ３）３）、トリエチルホスフィン（Ｐ（Ｅｔ）３）、トリtert-ブチルホスフィン（Ｐ（ｔ−Ｂｕ）３）、トリシクロヘキシルホスフィン（ＰＣｙ３）、トリメトキシホスフィン（Ｐ（ＯＣＨ３）３）、トリエトキシホスフィン（Ｐ（ＯＥｔ）３）、トリtert-ブトキシホスフィン（Ｐ（ＯｔＢｕ）３）、トリフェニルホスフィン（ＰＰｈ３）、１，２−ビス（ジフェニルホスフィノ）エタン（ＤＰＰＥ）、トリフェノキシホスフィン（Ｐ（ＯＰｈ）３）、トリ−ｏ−トリルホスフィン、トリ−ｍ−トリルホスフィン、トリ−ｐ−トリルホスフィン等の有機ホスフィン配位子、１，５−シクロオクタジエン（ＣＯＤ）、ジベンジリデンアセトン（ＤＢＡ）、ビピリジン（ＢＰＹ）、フェナントロリン（ＰＨＥ）、ベンゾニトリル（ＰｈＣＮ）、イソシアニド（ＲＮＣ）、トリエチルアルシン（Ａｓ（Ｅｔ）３）、フッ素原子、塩素原子、臭素原子、ヨウ素原子等のハロゲン原子、アセチルアセトナト、シクロオクタジエン、シクロペンタジエン、ペンタメチルシクロペンタジエン、エチレン、カルボニル、ビフェニルホスフィン、エチレンジアミン、１，２−ジフェニルエチレンジアミン、１，２−ジアミノシクロヘキサン、アセトニトリル、ヘキサフルオロアセチルアセトナト、スルホネート、カーボネート、ハイドロオキサイド、ナイトレート、パークロレート、サルフェート等が挙げられる。これらの中で、有機ホスフィン配位子、１，５−シクロオクタジエン（ＣＯＤ）、ジベンジリデンアセトン（ＤＢＡ）、ビピリジン（ＢＰＹ）、フェナントロリン（ＰＨＥ）、ベンゾニトリル（ＰｈＣＮ）、イソシアニド（ＲＮＣ）、及びトリエチルアルシン（Ａｓ（Ｅｔ）３）が好ましく、トリフェニルホスフィン、トリtert−ブチルホスフィン、トリフェニルホスフィン、及びトリ−ｏ−トリルホスフィンがより好ましく、アセテート、トリフルオロアセテート、が特に好ましい。配位子の数は、調製の際に使用する高分子の種類や架橋反応条件等にもよるが、通常１〜４個である。
【００３４】
本発明の架橋性高分子（架橋高分子）は、芳香族基などの疎水性の側鎖と親水性の側鎖とを有する。すなわち、両親媒性高分子である。架橋性高分子は、当然のことながら、架橋性基を有する。本発明の架橋性高分子（架橋高分子）は、芳香族側鎖以外の疎水性側鎖を有していても良い。これらの側鎖は、高分子の主鎖に直接結合したものである。尚、これら側鎖は複数種有したものでも良い。架橋性基は、これらの側鎖のいずれに結合していても良く、又、高分子主鎖に直接結合していても良いが、好ましくは芳香族側鎖を含む疎水性側鎖若しくは親水性側鎖、又は両者に結合したものである。中でも、より好ましくは架橋性基が芳香族側鎖に結合したものである。
【００３５】
芳香族側鎖（疎水性の側鎖）としては、アリール基及びアラルキル基が挙げられる。アリール基は炭素数６〜１０のものが好ましい。中でも、好ましいのは炭素数が６のものである。具体的には、例えばフェニル基やナフチル基などが挙げられる。尚、本明細書に於いて定義されている炭素数はその基が有する置換基の炭素数を含まないものとする。アラルキル基は炭素数７〜１２のものが好ましい。中でも、好ましいのは炭素数が７〜９のものである。具体的には、例えばベンジル基、フェニルエチル基、フェニルプロピル基などが挙げられる。尚、アリール基やアラルキル基に於ける芳香環はアルキル基、アリール基、アラルキル基などの疎水性置換基を有していても良い。芳香環が有していても良いアルキル基としては、直鎖状でも分枝状でも或いは環状でも良い。環状の場合には単環でも多環でも良く、炭素数１〜２０、好ましくは１〜１２のものが挙げられる。具体的には、例えばメチル基、エチル基、ｎ−プロピル基、イソプロピル基、ｎ−ブチル基、イソブチル基、sec−ブチル基、tert−ブチル基、ｎ−ペンチル基、イソペンチル基、sec−ペンチル基、tert−ペンチル基、ネオペンチル基、n−ヘキシル基、イソヘキシル基、sec−ヘキシル基、tert−ヘキシル基、ｎ−ヘプチル基、イソヘプチル基、sec−ヘプチル基、tert−ヘプチル基、ｎ−オクチル基、sec−オクチル基、tert−オクチル基、ノニル基、デシル基、シクロペンチル基、シクロヘキシル基などが挙げられる。芳香環が有していてもよいアリール基及びアラルキル基としては、上記した如き芳香族基としてのアリール基及びアラルキル基と同様なものが挙げられる。これら芳香環が有していても良い置換基は、アリール基及びアラルキル基に於ける芳香環に１〜５個、好ましくは１〜２個置換していても良い。疎水性側鎖としてのアルキル基としては、上記した如き芳香環が有していても良いアルキル基と同様のものが挙げられる。芳香族側鎖以外の疎水性側鎖としては、アルキル基、アルケニル基、及びアルキニル基が挙げられる。
【００３６】
親水性側鎖としては、比較的短いアルキル基、例えば炭素数が１〜６程度のアルキレン基に−Ｒ５（Ｒ５は−ＯＨ又はアルコキシ基、好ましくは−ＯＨを表す。）が結合したものであっても良いが、−Ｒ６（ＯＲ７）ｍＲ５、−Ｒ６（ＣＯＯＲ７）ｎＲ５又は−Ｒ６（ＣＯＯＲ７）ｏ（ＯＲ８）ｐＲ５（式中、Ｒ５は上記と同様であり、Ｒ６は共有結合又は炭素数１〜６、好ましくは共有結合又は１〜２のアルキレン基を表し、Ｒ７及びＲ８は、各々、独立して炭素数２〜４、好ましくは２のアルキレン基を表し、ｍ、ｎ及びｐは１〜１０の整数、ｏは１又は２を表す。）で表されるものが好ましい。より好ましい親水性側鎖として、−ＣＨ２（ＯＣ２Ｈ４）４ＯＨや−ＣＯ（ＯＣ２Ｈ４）４ＯＨ等が挙げられる。
【００３７】
架橋性高分子における架橋性基としては、エポキシ基、カルボキシル基、イソシアネート基、チオイソシアネート基、水酸基、１級もしくは２級のアミノ基、及びチオール基が挙げられる。好ましくは、エポキシ基、カルボキシル基、イソシアネート基、及びチオイソシアネート基が挙げられる。これらの架橋性基は必要に応じて単独又は組み合わせて用いられても良い。
【００３８】
架橋性高分子に含まれる架橋性基は、エポキシ基のみ、エポキシ基と水酸基、エポキシ基とアミノ基、エポキシ基とカルボキシル基、イソシアネート基又はチオイソシアネート基のみ、イソシアネート基と水酸基、イソシアネート基とアミノ基、イソシアネート基とカルボキシル基などが挙げられる。このなかで、エポキシ基のみ、及びエポキシ基と水酸基との組み合わせになるものが好ましい。架橋性基を複数種有する場合、架橋性基の結合位置に制限はないが、同じ位置の側鎖に含まれていることが好ましい。
【００３９】
リン含有基は、−ＰＲ１２（３価のリン化合物）で表される。式中、Ｒ１はアルキル基、アリール基又はアラルキル基を表す。二つのＲ１は同じであっても良く、異なっていても良い。但し、同じであることが好ましい。
【００４０】
そして、−ＰＲ１２基のＰと架橋性高分子（架橋高分子）の主鎖との間に、ビフェニル構造およびビナフチル構造の群の中から選ばれる少なくとも一つを有することが大事である。尚、ビフェニル構造を持つものが好ましい。そして、−ＰＲ１２基を有する側鎖は上記の式［１］で表される基であるものが好ましい。尚、式［１］中、Ｒ１は、アルキル基、アリール基およびアラルキル基の群の中から選ばれる何れかの基であり、各々、同じであっても異なっていても良い。例えば、メチル基、エチル基、イソプロピル基、tert−ブチル基、シクロヘキシル基、フェニル基、１−アダマンチル基、２−アダマンチル基、１，１−ジエチルプロピル基などである。尚、これ等の中でも、好ましくはアルキル基、アリール基である。特に、シクロアルキル基である。これは、式［１］におけるＲ１がシクロアルキル基である場合とフェニル基である場合とを比べた場合、式［１］における基Ｒ１がシクロアルキル基である場合の方が触媒活性は遥かに優れたものであったからによる。Ｒ２は、水素原子、アルキル基、アリール基およびアラルキル基の群の中から選ばれる何れかの基である。例えば、メチル基、エチル基、イソプロピル基、フェニル基、ジメチルアミノ基、ジエチルアミノ基、エチルイソピロピルアミノ基、ジフェニルアミノ基、トリメチルシリル基、メトキシ基、エトキシ基、プロポキシ基、イソプロポキシ基、ｎ−ブトキシ基、sec−ブトキシ基、tert−ブトキシ基などである。アルキル基としては、直鎖状でも分枝状でも或いは環状でもよく、環状の場合には単環でも多環でも良い。アルキル基の好ましい炭素数は１〜２０である。特に、１〜１２のものである。アリール基の好ましい炭素数は１〜１０である。特に、６のものである。例えば、フェニル基である。アラルキル基の好ましい炭素数は７〜１２である。特に、７〜９のものである。例えば、ベンジル基、フェニルエチル基、フェニルプロピル基などである。
【００４１】
本発明の高分子固定化パラジウム触媒において、リン原子は３価の状態でコポリマー合成及び架橋反応に供しても良いが、モノマーの段階で５価のホスフィンオキシドとして導入し、架橋反応後にトリクロロシラン等の還元剤と処理することにより３価のホスフィンに変換しても良い。
【００４２】
ところで、架橋高分子（架橋性高分子）は上記した如きの側鎖を有するものであれば如何なるものであっても良いが、これら側鎖の官能基を有するモノマーを重合させたものが好ましい。尚、このようなモノマーは、付加重合の為の二重結合や三重結合、例えばビニル基やアセチレン基など、中でもビニル基を持つものが好ましい。
【００４３】
本発明に用いる架橋性高分子の例としては下記の如きの架橋性高分子が挙げられる。
（Ａ）１）芳香族側鎖や親水性側鎖を有する重合性モノマー、２）芳香族側鎖を有する重合性モノマー、３）架橋性基を持つ芳香族側鎖を有する重合性モノマー、４）ビフェニル構造またはビナフチル構造及びＰＲ１２基を有する重合性モノマーを共重合することにより得られる架橋性高分子、
（Ｂ）１）疎水性側鎖、架橋性基を持つ親水性側鎖又は疎水性側鎖、ビフェニル構造またはビナフチル構造及びＰＲ１２基を有する少なくとも１種の重合性モノマーを重合又は共重合することにより得られる架橋性高分子、
（Ｃ）１）疎水性側鎖、架橋性基を持つ親水性側鎖又は疎水性側鎖を有する重合性モノマー、２）疎水性側鎖を有する重合性モノマー、３）架橋性基を持つ親水性側鎖又は疎水性側鎖を重合性有するモノマー、４）ビフェニル構造またはビナフチル構造及びＰＲ１２基を有する重合性モノマーから成る群から選択される少なくとも２種のモノマーを共重合することにより得られる架橋性高分子が挙げられる。好ましくは（Ａ）の架橋性高分子である。ここで、同種のモノマーは２以上の異なるモノマーを含むものであってもよい。
【００４４】
芳香族側鎖及び重合性二重結合を有するモノマーとしては、特に、スチレン系モノマーが好ましい。スチレン系モノマーとして、例えばスチレン、α−メチルスチレン、β−メチルスチレン、α−エチルスチレン、ｏ−メチルスチレン、ｍ−メチルスチレン、ｐ−メチルスチレン等が挙げられる。中でも、スチレン及びα−メチルスチレンが好ましく、特にスチレンが好ましい。
【００４５】
このようなポリマーと上記のパラジウム前駆体を良溶媒に溶解した後、適当な貧溶媒を加えて相分離を起こすことにより、パラジウムをポリマー凝集物又はミセル様集合体に取り込むことが出来る。この際、パラジウム前駆体の配位子の一部もしくは全てが脱離する現象が認められる。パラジウムは通常０価で固定されるが、パラジウム前駆体がイオンの場合は、相分離の際に還元処理することにより、０価のパラジウムとして固定できる。ここで、良溶媒中の架橋性高分子の濃度は約１〜１００ｍｇ／ｍＬ、パラジウム前駆体の量は架橋性高分子に対して０．０１〜０．５重量％、貧溶媒の量は良溶媒に対して０．２〜１０体積％の割合で用いられ、貧溶媒の添加は通常１０分〜２時間掛けて行われる。相分離の際の温度は特に制限はないが、通常、室温で行われる。
【００４６】
架橋性高分子を架橋させて架橋高分子とする為の架橋反応は、架橋性基の種類によって相違するが、加熱や紫外線照射により行わせることが出来る。架橋反応は、これらの方法以外にも、使用する直鎖型有機高分子化合物を架橋する為の来公知の方法、例えば架橋剤を用いる方法、縮合剤を用いる方法、過酸化物やアゾ化合物等のラジカル重合触媒を用いる方法、酸又は塩基を添加して加熱する方法、例えばカルボジイミド類のような脱水縮合剤と適当な架橋剤を組み合わせて反応させる方法等に準じても行うことも出来る。架橋性基を加熱により架橋させる際の温度は、架橋性基としてエポキシドと水酸基を含む架橋性高分子を用いる場合は、通常、７０〜２００℃である。好ましくは１００〜１６０℃である。反応時間は、加熱架橋反応させる場合には、通常、０．１〜１００時間である。好ましくは０．５〜２４時間、中でも、１〜５時間である。
【００４７】
上記のようにして得られた高分子固定化パラジウム触媒中のパラジウムは、超微小粒子として架橋高分子中で芳香環との弱い相互作用とリン原子との配位により結合していると考えられる。クラスターサイズは０．７〜数ｎｍである。
【００４８】
本発明の触媒を用いると、アミン類とハロゲン化アリールとをカップリングさせることが出来、対応する２級もしくは３級アリールアミン類を効率的に合成できる。基質であるアミンに格別な限定は無い。例えば、１級あるいは２級何れのアミンであっても良い。アミンをＲ２Ｒ３ＮＨで表した場合、Ｒ２は水素原子、脂肪族基、脂環式脂肪族基、又は芳香族基であっても良く、ヘテロ原子が含まれていても良い。Ｒ３は脂肪族基、脂環式脂肪族基、又は芳香族基であっても良く、ヘテロ原子が含まれていても良い。用いるハロゲン化アリール類にも格別な制限は無い。一般的に反応性が低い為に用いることが困難であったクロロベンゼン類を用いることも出来る。
【００４９】
本発明のカップリング反応などにはホスフィン配位子を外部添加しなくても円滑に進行する。本発明の合成反応に使用する本発明の触媒（パラジウム）量は、好ましくは０．０１〜１０ｍｏｌ％である。特に好ましくは０．１〜５ｍｏｌ％である。反応溶媒としては水と有機溶媒の混合溶媒を用いることが出来る。有機溶媒としては、トルエンなどの炭化水素、ジメトキシエタン（ＤＭＥ）、テトラヒドロフラン（ＴＨＦ）などのエーテル類、アセトン等のケトン類、アセトニトリル等のニトリル類が好ましい。必要に応じて、エタノールのようなアルコール等を添加しても良い。添加する塩基はアルカリ金属の炭酸塩又はリン酸塩などが好適である。反応温度は７０〜１５０℃が好ましい。特に好ましくは１００度前後である。例えば、トルエン／水系では還流温度が簡便である。反応時間は基質にも寄るが１〜２４時間である。通常は数時間で反応が終了する。反応後の後処理は、濾過により高分子固定化触媒を除去・回収し、濾液を抽出、濃縮、及び精製操作により目的物を得ることが出来る。一方、回収した固定化触媒は洗浄・乾燥することにより再使用が可能である。通常、反応及び後処理操作でパラジウムやホスフィン配位子の漏出は無いが、空気中での操作により３価のリンが徐々に酸化されてホスフィンオキシドを生成する場合がある。この酸化反応は極めて遅く、一部のリンが酸化されても触媒活性は維持される。大部分のリン原子が酸化された場合には、コポリマーの合成の際と同様、シラン化合物などによって元の３価のリンに還元すれば良い。反応及び濾過操作を無酸素下で実施した場合には、リン原子は殆ど酸化されない。
【００５０】
尚、本発明の触媒は、パラジウム触媒反応として鈴木−宮浦カップリング反応、薗頭アセチレンカップリング反応、Heck 反応、アリル位置換反応などのパラジウム触媒反応にも有効である。そして、医薬品中間体などのファインケミカルの分野において特に用いられる。
【００５１】
以下において具体的な実施例を挙げて説明する。
尚、実施例及び比較例において、１Ｈ−ＮＭＲ及び１３Ｃ−ＮＭＲは、溶媒としてＣＤＣｌ３を、内部基準として（ＣＨ３）４Ｓｉを用い、日本電子株式会社製のＥＣＸ−６００又はＥＣＸ−４００で測定されたものである。
【００５２】
［製造例１（化合物Ｓ−１の製造)］
２−フェニルプロペン(40.0ｇ,0.338ｍｏｌ)、Ｎ−ブロモスクシイミド(42.0ｇ,0.236ｍｏｌ)、及びジエチレングリコール(88ｍＬ)の混合物を、１８０℃のオイルバス上で、Ｎ−ブロモスクシイミドが溶解するまで加熱した。反応混合物に過剰のヘキサンを加えて室温まで放冷後、沈殿物を濾過で取り除き、反応液を純水で２回洗浄した。そして、有機層を無水硫酸マグネシウムで乾燥し、ろ過後、有機相を濃縮し、３−ブロモ−２−フェニルプロペン(28.4ｇ)を得た。
【００５３】
又、５５％の水素化ナトリウム(7.89ｇ,181ｍｍｏｌ)のＤＭＦ(200ｍＬ)懸濁液に、グリシドール(33.5ｇ,452ｍｍｏｌ)のＤＭＦ(15ｍＬ)溶液を０℃で加えた。そして、上記で得た３−ブロモ−２−フェニルプロペン(17.8ｇ,90.4ｍｍｏｌ)のＤＭＦ(40ｍＬ)溶液を同温度で加えた後、室温で17時間撹拌した。この後、反応混合物を０℃に冷却し、ジエチルエーテルで希釈した後、飽和塩化アンモニウム水溶液を加えて反応を停止した。
【００５４】
そして、水相をジエチルエーテルで数回抽出し、有機相を無水硫酸マグネシウムで乾燥した。ろ過後、溶媒を濃縮し、残渣をシリカゲルカラムクロマトグラフィー(ヘキサン−酢酸エチル)で精製し、グリシジル−２−フェニルプロペニルエーテル（Ｓ−１）を12.0ｇ（収率：70％）得た。
１Ｈ−ＮＭＲ：2.59 (dd, 1H, J=4.2, 5.1
Hz), 2.78 (dd, 1H, 4.2, 5.1 Hz), 3.13-3.17 (m, 1H), 3.46 (dd, 1H, J=5.8, 11.5
Hz), 3.77 (dd, 1H, J=3.2, 11.5 Hz), 4.41 (ddd, 1H, J=0.7, 1.2, 12.9 Hz), 4.48
(ddd, 1H, J=0.5, 1.2, 12.9 Hz), 5.34-5.36 (m, 1H), 5.53-5.54 (m, 1H), 7.45-7.48
(m,5H).
１３Ｃ−ＮＭＲ：44.3, 50.8, 70.5, 73.2,
114.6, 126.0, 127.8, 128.4, 138.6, 143.9.
【００５５】
［製造例２（化合物Ｓ−２の製造）］
水素化ナトリウム(55％,2.41ｇ,55.3ｍｍｏｌ)にテトラヒドロフラン(50ｍＬ)を加えた後、氷浴にて冷却した。次いで、テトラエチレングリコール(10.7ｇ,55.3ｍｍｏｌ)のテトラヒドロフラン(10ｍＬ)溶液を撹拌下で徐々に加えた。反応混合物を室温で１時間撹拌した後、製造例１で得た３−ブロモ−２−フェニルプロペン(5.45ｇ,27.7ｍｍｏｌ)のテトラヒドロフラン(５ｍＬ)溶液を加え、更に２時間撹拌した。反応混合物に飽和塩化アンモニウム水溶液を滴下して反応を終了した。そして、減圧下でテトラヒドロフランを留去した後、酢酸エチルを加えて抽出を行った。有機相を無水硫酸マグネシウムで乾燥後、溶媒を濃縮し、残渣をシリカゲルカラムクロマトグラフィー(ヘキサン−酢酸エチル)で精製し、テトラエチレングリコール−モノ−２−フェニル−２−プロペニルエーテル（Ｓ−２）を2.11ｇ（収率：25％）得た。
１Ｈ−ＮＭＲ：2.72 (s, 1H), 3.58-3.74 (m,
16H), 4.42 (s, 2H), 5.34 (d, 1H, J=1.2 Hz), 5.53 (d, 1H, J=0.5 Hz), 7.25-7.36
(m, 3H), 7.44-7.52 (m, 2H).
１３Ｃ−ＮＭＲ：61.7, 69.2, 70.3, 70.6,
72.4, 73.1, 114.4, 126.1, 127.7, 128.3, 138.7, 144.0.
【００５６】
［製造例３（化合物Ｓ−３の製造)］
４−ブロモフェノール(8.0ｇ,46.2ｍｍｏｌ)とイミダゾール(8.5ｇ,125ｍｍｏｌ)との混合物をジクロロメタン(80ｍＬ)に溶解し、そして塩化tert−ブチルジメチルシリル(10.5ｇ,69.4ｍｍｏｌ)を加え、室温で１時間撹拌した。この後、攪拌混合物に純水を加えて反応を終了した。そして、ジクロロメタンで抽出した。有機相を無水硫酸ナトリウムで乾燥後、溶媒を濃縮し、残渣をシリカゲルカラムクロマトグラフィー(ヘキサン)で精製し、(４−ブロモフェノキシ)(tert−ブチル)ジメチルシランを13.2ｇ（収率：99％）得た。
１Ｈ−ＮＭＲ：0.16 (s, 6H), 0.95 (s, 9H),
6.69 (d, 2H, 8.7Hz), 7.29 (d, 2H, J=8.7 Hz).
１３Ｃ−ＮＭＲ：-4.5, 18.2, 25.6, 113.6,
121.9, 132.3, 154.8.
【００５７】
次に、10.0ｇ(34.8ｍｍｏｌ)の(４−ブロモフェノキシ)(tert−ブチル)ジメチルシランをテトラヒドロフラン(35ｍＬ)に溶解し、ドライアイス−アセトンにて−78℃に冷却した。そして、ｎ−ブチルリチウム(1.6Ｍヘキサン溶液,24ｍＬ,38.4ｍｍｏｌ)を滴下し、同温度で1時間撹拌した。次に、トリイソプロピルボレート(13.1ｇ,69.6ｍｍｏｌ)を滴下し、徐々に室温に戻しながら５時間撹拌した。この攪拌反応液に１Ｎの塩酸水溶液(100ｍＬ)を加え、室温で１５分撹拌した後、減圧下でテトラヒドロフランを留去した。そして、酢酸エチルを加えて抽出し、無水硫酸マグネシウムで乾燥後、溶媒を濃縮し、ヘキサン中にて再結晶を行い、(４−tert−ブチルジメチルシロキシ)フェニルボロン酸を6.15ｇ（収率：70％）得た。
１Ｈ−ＮＭＲ：0.00 (s, 6H), 0.76 (s, 9H),
6.69 (d, 2H, 8.4Hz), 7.85 (d, 2H, J=8.4 Hz).
１３Ｃ−ＮＭＲ：-4.3, 18.3, 25.7, 119.8,
122.9, 137.4, 159.7.
【００５８】
次に、(４−tert−ブチルジメチルシロキシ)フェニルボロン酸(24.0ｇ,95.2ｍｍｏｌ)、１−ブロモ−２−ヨードベンゼン(34.9ｇ,123.3ｍｍｏｌ)、及びテトラキストリフェニルホスフィンパラジウム(5.50ｇ,4.76ｍｍｏｌ)の混合物を、ジメトキシエタン(274ｍＬ)に溶解した。そして、この混合物に炭酸カリウム(39.5ｇ,285.5ｍｍｏｌ)の水溶液(77ｍＬ)を加え、アルゴン気流下で２５時間還流した。反応後、飽和塩化アンモニウム水溶液を加え、減圧下でジメトキシエタンを留去した後、酢酸エチルにて抽出した。そして、無水硫酸マグネシウムで乾燥後、溶媒を濃縮した。得られた粗生成物をテトラヒドロフラン(20ｍＬ)に溶解し、フッ化ｎ−テトラブチルアンモニウム(１ＭのＴＨＦ溶液,95ｍＬ,95ｍｍｏｌ)を加え、室温にて３時間撹拌した。反応（攪拌）後、飽和塩化アンモニウム水溶液を加え、テトラヒドロフランを減圧下で留去し、酢酸エチルにて抽出した。そして、有機相を無水硫酸ナトリウムで乾燥後、溶媒を濃縮し、残渣をシリカゲルカラムクロマトグラフィー(ジクロロメタン−ヘキサン)で精製し、減圧下の80℃にて乾燥することで、４−(２−ブロモフェニル)フェノールを16.6ｇ（収率：70％）得た。
１Ｈ−ＮＭＲ：5.16 (s, 1H), 6.89 (d, 2H,
J=7.6 Hz), 7.15-7.19 (m, 1H), 7.26-7.36 (m, 4H) 7.65 (d, 1H, J=7.6 Hz).
１３Ｃ−ＮＭＲ：114.8, 122.8, 127.4, 128.4,
130.8, 131.3, 133.1, 133.8, 142.1, 155.0.
【００５９】
次に、４−(２−ブロモフェニル)フェノール(9.5ｇ,38.0ｍｍｏｌ)と炭酸カリウム(7.9ｇ,57.0ｍｍｏｌ)との混合物を減圧下で乾燥し、これにＮ，Ｎ−ジメチルホルムアミド(130ｍＬ)を加え、撹拌した。更に、４−クロロメチルスチレン(6.4ｇ,41.8ｍｍｏｌ)を加え、55℃にて12時間撹拌した。この攪拌反応液を室温に戻し、多量の純水を注ぐと沈殿が生じた。この沈殿をろ過回収し、純水で洗浄後してから十分に乾燥し、シリカゲルカラムクロマトグラフィー(ジクロロメタン−ヘキサン)で精製した。この精製物（粗精製物）をヘキサン中にて再結晶し、２−ブロモ−４’−(４−スチリルメトキシ)ビフェニルを11.8ｇ（収率：85％）得た。
１Ｈ−ＮＭＲ：5.08 (s, 2H), 5.25 (d, 1H,
J=10.8 Hz), 5.75 (d, 1H, J=17.6 Hz), 6.72 (dd, 1H, J=10.8, 17.6 Hz), 7.01 (d,
2H, J=8.4 Hz), 7.15-7.18 (m, 1H), 7.30-7.34 (m, 4H), 7.39-7.44 (m, 4H), 7.63
(d, 1H, J=8.4 Hz). 
１３Ｃ−ＮＭＲ：69.8, 114.1, 114.2, 122.8,
126.4, 127.3, 127.7, 128.4, 130.6, 131.3, 133.1, 133.8, 136.4, 137.4, 142.1,
158.3.
次に、２−ブロモ−４’−(４−スチリルメトキシ)ビフェニル(4.0ｇ,11.0ｍｍｏｌ)をテトラヒドロフラン(65ｍＬ)に溶解し、ドライアイス−アセトンにて−78℃に冷却した。この後、ｎ−ブチルリチウム(1.6Ｍのヘキサン溶液,7.9ｍＬ,12.6ｍｍｏｌ)を滴下し、同温度で1時間撹拌した。次に、ジシクロヘキシルクロロホスフィン(3.2ｇ,3.7ｍｍｏｌ)を滴下し、徐々に室温に戻しながら18時間撹拌した。この反応液に飽和塩化アンモニウム水溶液を滴下して反応を終了し、減圧下でテトラヒドロフランを留去した。そして、酢酸エチルを加えて抽出し、有機相を無水硫酸ナトリウムで乾燥後、溶媒を濃縮し、残渣をシリカゲルカラムクロマトグラフィー(トルエン−ヘキサン)で精製し、この粗精製物をヘキサン中で再結晶することにより、２−（４’−(４−スチリルメトキシ)フェニル)フェニルジシクロヘキシルホスフィン（Ｓ−３）を4.5ｇ（収率：84％）得た。
１Ｈ−ＮＭＲ：1.07-1.25 (m, 10H), 1.59-1.82
(m, 12H), 5.08 (s, 2H), 5.26 (d, 1H, J=10.8 Hz), 5.77 (d, 1H, J=18.0), 6.73
(dd, 1H, J=10.8, 18.0 Hz), 6.97 (d, 2H, J=5.0 Hz), 7.21 (d, 2H, J=5.5 Hz), 7.25
(br s, 1H), 7.32 (br s, 1H), 7.40-7.43 (m, 5H), 7.56 (br s, 1H) .
１３Ｃ−ＮＭＲ：26.3, 27.2, 27.2, 29.2,
29.2, 30.3, 30.4, 34.6, 34.7, 69.6, 113.5, 113.9, 114.1, 126.2, 126.3, 127.7,
128.1, 129.9, 130.3, 131.6, 132.8, 134.0, 134.1, 135.5, 136.4, 136.6, 137.2,
150.0, 150.2, 157.6(１３Ｃ−３１Ｐスピン結合が複雑な為、ピークの同定は行っていない).
３１Ｐ−ＮＭＲ:-12.8.
【００６０】
［製造例１０（コポリマーＡの製造)］
上記で得た化合物Ｓ−１(925ｍｇ,4.86ｍｍｏｌ)、化合物Ｓ−２(1.51ｇ,4.86ｍｍｏｌ)、化合物Ｓ−３(1.88ｇ,3.89ｍｍｏｌ)、スチレン(2.63ｇ,25.3ｍｍｏｌ)、及び２，２’−アゾビス(イソブチロニトリル)(63.8ｍｇ,0.39ｍｍｏｌ)の混合物にクロロホルム(10ｍＬ)を加え、アルゴン気流下26時間還流した。この反応液を室温まで冷却した後、ヘキサン中に徐々に滴下した。そして、上澄みを除去し、沈殿物をクロロホルムに再溶解してアセトニトリル中に徐々に滴下した。再度、上澄みを除去し、沈殿物をアセトニトリルで洗浄した後、減圧下で乾燥し、コポリマーＡ(Ｍｗ:9710,
Ｍｎ:6530, Ｍｗ／Ｍｎ＝1.49 (ＧＰＣ))を3.1ｇ(収率：44％)得た。尚、得られたコポリマーＡ中の各モノマー比は１Ｈ−ＮＭＲにより決定された。
【００６１】
［製造例１１(コポリマーＢの製造)］
上記で得た化合物Ｓ−１(631ｍｇ,3.32ｍｍｏｌ)、化合物Ｓ−２(1.03ｇ,3.32ｍｍｏｌ)、化合物Ｓ−３(2.40ｇ,4.97ｍｍｏｌ)、スチレン(2.24ｇ,21.6ｍｍｏｌ)、及び２，２’−アゾビス(イソブチロニトリル)(54.4ｍｇ,0.33ｍｍｏｌ)の混合物にクロロホルム(4.2ｍＬ)を加え、アルゴン気流下27時間還流した。この反応液を室温まで冷却した後、ヘキサン中に徐々に滴下した。そして、上澄みを除去し、沈殿物をクロロホルムに再溶解してアセトニトリル中に徐々に滴下した。再度、上澄みを除去し、沈殿物をアセトニトリルで洗浄した後、減圧下で乾燥し、コポリマーＢ(Ｍｗ:11000,Ｍｎ:9240,Ｍｗ／Ｍｎ＝1.49(ＧＰＣ))を3.67ｇ(収率：58％)得た。尚、得られたコポリマーＢ中の各モノマー比は１Ｈ−ＮＭＲにより決定された。
尚、上記製造例１０，１１で得られたコポリマーの構造を下記に示す。
2008221089.tif 000004
【００６２】
［製造例２１(高分子固定化パラジウム PI Pd Ａの製造)］
製造例１０で得られたコポリマーＡ(800ｍｇ)をテトラヒドロフラン(12 ｍＬ)に溶解し、アルゴン気流下、還流条件にて撹拌した。この反応液に、テトラヒドロフラン(4ｍＬ)に溶解した酢酸パラジウム(22.5ｍｇ,0.1ｍｍｏｌ)を滴下した後、更に3時間還流した。反応液を室温に戻した後、脱気したヘキサン(30ｍＬ)を滴下し、1時間撹拌した。そして、析出したマイクロカプセル化パラジウムを濾過により集め、ヘキサン洗浄を十分に行った後、減圧乾燥した。この後、アルゴン気流下、120℃で４時間加熱して高分子を架橋させ、得られた固体をテトラヒドロフラン及びトルエンで洗浄し、減圧乾燥して高分子固定化パラジウムPI
Pd Ａを400ｍｇ得た。
【００６３】
尚、このPI Pd Ａ(43.5ｍｇ)に濃硫酸(1.0ｍＬ)を加え、180℃で加熱しながら濃硝酸を適宜加え、高分子を分解した。そして、純水を加えて25ｍＬに希釈し、このものを誘導結合プラズマ発光分光（ICP-AES）により分析し、パラジウム含量(0.138ｍｍｏｌ／ｇ)を決定した。
【００６４】
［製造例２２(高分子固定化パラジウム PI Pd Ｂの製造)］
製造例８と同様の方法により、コポリマーＡをコポリマーＢに代えて、高分子固定化パラジウムPI Pd Ｂ(パラジウム含量：0.189ｍｍｏｌ／ｇ)を得た。
【００６５】
［実施例１］
クロロベンゼン(33.8ｍｇ,0.3ｍｍｏｌ)、モルホリン(52.3ｍｇ,0.6ｍｍｏｌ)、PI
Pd Ａ(101ｍｇ,0.014ｍｍｏｌ,4.6ｍｏｌ％)、tert−ブトキシナトリウム(66.3ｍｇ,0.69ｍｍｏｌ)にトルエン(２ｍＬ)を加え、100℃で24時間撹拌した。そして、ヘキサン(３ｍＬ)を加えた後、PI
Pd Ａを濾別し、ヘキサンで洗浄した。濾液と洗浄液とを併せたものを濃縮し、シリカゲルカラムクロマトグラフィー(ヘキサン−酢酸エチル)で精製し、Ｎ−フェニルモルホリンを35.4ｍｇ（収率：72％)得た。
【００６６】
［比較例１］
特開２００６−２３１３１８号公報の実施例１に記載の高分子固定化パラジウム触媒を用いて実施例１と同様な反応を行ったが、目的生成物は全く得られなかった。
【００６７】
［比較例２］
特開２００６−２３１３１８号公報の実施例２に記載の高分子固定化パラジウム触媒を用いて実施例１と同様な反応を行ったが、目的生成物は全く得られなかった。
【００６８】
［実施例２］
４−クロロベンゾニトリル(82.6ｍｇ,0.6ｍｍｏｌ)、モルホリン(104.5ｍｇ,1.2ｍｍｏｌ)、PI
Pd Ｂ(63.5ｍｇ,0.012ｍｍｏｌ,２ｍｏｌ％)、tert−ブトキシナトリウム(132.6ｍｇ,1.38ｍｍｏｌ)にトルエン(２ｍＬ)を加え、100℃で24時間撹拌した。そして、ヘキサン(６ｍＬ)を加えた後、PI
Pd Ｂを濾別し、ヘキサン及びトルエンで洗浄した。この後、濾液と洗浄液とを併せたものを濃縮し、メスフラスコを用いてテトラヒドロフランにて50ｍＬに希釈した。この溶液を25ｍＬメスフラスコを用いて２等分し、各々、減圧下で濃縮した。
【００６９】
２等分された反応物の一方については、シリカゲルクロマトグラフィー(ヘキサン／酢酸エチル＝２／１)で精製し、Ｎ−(４−シアノフェニル)モルホリンを51.8ｍｇ（収率：92％）を得た。
【００７０】
２等分された反応物の他方については、濃硫酸(1.0ｍＬ)を加え、180℃で加熱しながら濃硝酸を適宜加えて有機物を分解した。これに純水を加えて25ｍＬに希釈し、このものを誘導結合プラズマ発光分光（ICP-AES）によって分析した。その結果、パラジウムの漏出量は0.74％であった。
【００７１】
［実施例３〜９］
実施例２の４−クロロベンゾニトリル及びモルホリンを各種のハロゲン化アリール及びアミンに代えて実施例２と同様に行なった。
【００７２】
その結果を下記の表に示す。
何れも高収率で対応するアミン誘導体が得られた。
又、触媒からのパラジウムの漏出も微量であった。
又、実施例４においては触媒量が僅かであったが、高収率で対応するアミン誘導体が得られた。
【００７３】
2008221089.tif 000005
【００７４】
［実施例１０］
実施例３と同一の基質、同一の条件を用いて同様に行った。
そして、濾過により回収した触媒を水洗し、減圧下で乾燥後、同じ反応に繰り返し使用した。
その結果を下記の表に示す。
そして、例えば３回目の使用でも反応は高収率にて進行した。
【００７５】
2008221089.tif 000006
代  理  人      宇  高    克  己